Podtech/llm-jp-corpus-v4-ja_patent huggingface dataset:
(57)【要約】      （修正有）【課題】ペットの知育と健康面向上の効果が充分得られ、且つ、ペットが飽きずに遊びながら知育と健康面の向上効果が得られるペット用知育玩具を提供する。【解決手段】ペットに餌、又は、おやつを与えるとき、本考案のペット用知育玩具における２つの構造形態の特徴を有する容器である。餌、又は、おやつをその容器の中に適量入れて与えると、ペットは喜んで飽きずに遊び、且つ、そのペットの知育と健康面向上に効果をもたらすところの考案である。その構造形態の１つは本考案本体の筒形容器の筒形外側面にペットが容易に銜えることができるところの数枚の羽根状の形状をした突起物を設ける。２つめの構造形態は、その容器の両湾曲面部の形状を容器の内側方向に凹型の湾曲面の形状にせしめ、且つ、その中心部に餌、又は、おやつの一粒大が出し入れできる穴を設けることにより、餌、又は、おやつが容易に転がり出ない構造形態を有するところのもので、ペットが、餌、又は、おやつをより多く食べたいという習性を利用したところのペット用知育玩具であり、ペットの知育と健康面向上の効果が得られる。【選択図】図１
0003103357.tif 000002
【実用新案登録請求の範囲】
【請求項１】
ペット用知育玩具として、その形状形態において、筒形の形状を有する容器本体の両凹型湾曲部の形状は、容器本体の内側方向に、それぞれ凹型の湾曲面を有し、その容器に入れたところのペット用餌、又は、おやつが安易に転がり出ないところの形状を有し、且つ、それらの両凹型湾曲面部の中心部にペット用餌、又は、おやつの一粒大もしくは、一片大が出し入れできる大きさの穴を設けたところのペット用知育玩具。
【請求項２】
請求項１記載のペット用知育玩具に、筒形の形状を有する容器本体の筒状外側面部に、数枚の羽根状の形状をした突起物を設け、ペットが容易に銜えたり、振り回したり、又は、転がしたりできる形状形態を有するところのペット用知育玩具。
【考案の詳細な説明】
【技術分野】
【０００１】本考案はペットに餌、又はおやつを与える時に、ペットの知育と健康面向上を目的とする、ペット用知育玩具の容器構造形態の考案に関するものである。
【背景技術】
【０００２】従来のペット用知育玩具として、球状の容器、又は、立方体の容器に餌、又は、おやつを入れてペットがそれを転がした時に、それらの容器に設けられた穴から餌が出るところの玩具が有る。
【考案の開示】
【考案が解決しようとする課題】
【０００３】従来のペット用知育玩具では、ペットが与えられた知育玩具を転がして遊んでいるとき、玩具の中に入れられた餌、又は、おやつが転がり出て、それらを食べることができるものが有るが、ペットが飽きずに、喜んで遊んでいる間に自然と知能を働かすところの知育ができ、同時に、適度の運動量も作り出すことができるところの構造形態を有するペット用知育玩具の考案課題。
【課題を解決するための手段】
【０００４】本考案はペット用知育玩具として、その構造形態による考案で、ペットが銜えたり、転がしたりできるところの羽根状突起部を筒形の容器筒外側面に数枚設け、且つ、餌、又は、おやつが出てくる頻度が適度になるように、餌、又は、おやつの出し入れ口にあたる筒形容器の両湾曲面部の形状を凹型湾曲面の形状にせしめ、その中心部にペット用餌、又は、おやつの一粒大が出し入れできる大きさの穴を設けたところの構造形態を有するペット用知育玩具の考案による課題の解決。
【考案の効果】
【０００５】本考案は、ペットに餌、又は、おやつを与える時、本考案の玩具の中に適量の餌、又は、おやつを入れて与えると、ペットは本考案容器の羽根部を銜えて、振り回したり、転がしたりする。また、ペットが手足で転がしている間に、餌、又は、おやつが本考案容器から適時、転がり出てくる。ペットは餌、又は、おやつをより多く食べたい欲求から、どのようにすれば容器から餌、又は、おやつが出てくるかを考え、繰り返し転がしたり、銜えて振り回したりするところの知育効果が得られる。それらの行為の繰り返しで遊びに飽きることなくペットの知育が図られ、運動量も増し、ストレスも解消されところの考案で、ペットの健康面の向上効果が得られところの考案。
【考案を実施するための最良の形態】
【０００６】本考案の実施の形態を「図１」、「図２」に基づいて説明する。「図１」は本考案の外観斜視図であり、「図２」は本考案の断面図（「図１」の４ａ点と４ｂ点を結んだところを断面）を示すものである。「図１」・「図２」の２で示す羽根状の突起部はペットが銜え易い大きさで、この突起部を数枚設けることによって、ペットが銜えたり振り回したりすることが容易にできる形態を有するところのもので、「図１」・「図２」の３は、本考案の筒形容器の両凹型湾曲面部の中央に設けた穴部であり、ペット用餌、又は、おやつの一粒大が出し入れできる大きさである。その両凹型湾曲面部の形状は容器の内側方向に凹型湾曲面の形状を有し、餌、又は、おやつが容器から出過ぎることを防ぎ、且つ容器の強度を持たせたところの構造形態である。
【図面の簡単な説明】
【図１】    本考案の外観斜視図
【図２】    本考案「図１」の断面図（４ａから４ｂ）
【符号の説明】
１      本考案の筒状外側面部
２      本考案の羽根状突起部
３      本考案の穴部
４      本考案の凹型湾曲面部
６      ペット用餌粒、又は、おやつ
４ａ    本考案の断面図「図２」を表す
【図１】
における切断の一方点を示す
４ｂ    本考案の断面図「図２」を表す
【図１】
における切断の一方点を示す
【図１】
0003103357.tif 000003
【図２】
0003103357.tif 000004
(57)【要約】【課題】  従来はシート面に開口部を設ける場合、シートの周囲に空いてある複数の留め穴を用いて支持材に紐などで結束・開放していたり、シート本体にファスナーを取付てある製品などを仮設扉として使用していたが、設置場所を予め特定する必要が有り作業・突発適要素によって開口部設置箇所を自在な位置に変更・設置することが困難で有るという問題点を有していた。【解決手段】  上記の問題点を解決するために、本考案の仮設扉は裏側に剥離紙を有する粘着シートに、目的に応じる大きさに開口するためのファスナーを該開口部の周囲に相当する部分に施し、工事現場或はイベント会場等における仮設シートに，剥離紙を剥がして接着し、前記ファスナーを引き開いて表出する仮設シート面のファスナーに覆われている部分の内側を裁断することにより生ずる仮設シートの出入り口をファスナーにより開け閉めすることの出来る仮設扉の場所を特定する事無く自在な位置に設置出来る事を特徴とする。【選択図】              図１
0003103356.tif 000002
【実用新案登録請求の範囲】
【請求項１】
裏側に剥離紙を有する粘着シートに、目的に応じる大きさに開口するためのファスナーを該開口部の周囲に相当する部分に施し、工事現場或はイベント会場等における仮設シートに、剥離紙を剥がして接着し、前記ファスナーを引き開いて表出する仮設シート面のファスナーで覆われている部分の内側を裁断することにより生ずる仮設シートの出入り口を、ファスナーにより開け閉めすることの出来る仮設扉。
【考案の詳細な説明】
【技術分野】
【０００１】  本考案は、工事現場やイベント会場などで使用する仮囲いシート面の自在な位置に開口部を設置出来る仮設扉。
【背景技術】
【０００２】  従来はシート面に開口部を設ける場合、シートの周囲に空いてある複数の留め穴を用いて支持材に紐などで結束・開放していたり、シート本体にファスナーを取付てある製品などを仮設扉として使用していた。
【考案の開示】
【考案が解決しようとする課題】
【０００３】  従来はシート面に開口部を設ける場合、シートの周囲に空いてある複数の留め穴を用いて支持材に紐などで結束・開放していたり、シート本体にファスナーを取付てある製品などを仮設扉として使用していたが、設置場所を予め特定する必要が有り作業・突発適要素によって開口部設置箇所を自在な位置に変更・設置することが困難で有るという問題点を有していた。
【課題を解決するための手段】
【０００４】  上記の問題点を解決するために、本考案の仮設扉は裏側に剥離紙を有する粘着シートに、目的に応じる大きさに開口するためのファスナーを該開口部の周囲に相当する部分に施し、工事現場或はイベント会場等における仮設シートに，剥離紙を剥がして接着し、前記ファスナーを引き開いて表出する仮設シート面のファスナーに覆われている部分の内側を裁断することにより生ずる仮設シートの出入り口をファスナーにより開け閉めすることの出来る仮設扉の場所を特定する事無く自在な位置に設置出来る事を特徴とする。
【考案の効果】
【０００５】  本考案は、以上説明した様な形態で実施され、以下に記載されるような効果を有する。【０００６】  この考案の仮設扉を用いることにより、工事現場やイベント会場などで使用する仮囲いシート類など比較的表面が平滑な部位で有れば鉛直・水平方向問わず開口部を自在な位置に設置可能となり仮設物の屋上・屋外の点検口、作業通路が容易に確保可能となり仮設物基本部位を変更せず安価に改造する事が出来る。【０００７】  本考案の仮設扉に使用する粘着シートとファスナーにより、該シート面を裁断した部位も補強され、切断前と強度的差異は生じず、防風・防滴効果を得られ冬期間で有れば寒気を遮断でき採暖に要する燃料節約効果、開口部の管理を簡単に行える。
【考案を実施するための最良の形態】
【０００８】  本考案の仮設扉は裏側に剥離紙を有する粘着シートに、目的に応じる大きさに開口するためのファスナーを該開口部の周囲に相当する部分に施し、工事現場或はイベント会場等における仮設シートに，剥離紙を剥がして接着し、前記ファスナーを引き開いて表出する仮設シート面のファスナーで覆われている部分の内側を裁断することにより生ずる仮設シートの出入り口を、ファスナーにより開け閉めすることの出来る仮設扉を場所を特定する事無く自在な位置に設置出来る事を特徴とする。
【実施例】
【０００９】  この考案の実施例を図面を参照して以下説明すると、図１は装置の（Ａ）は側面図及び（Ｂ）は立面図であり、裏・表につまみを有するファスナー（１）の周囲に密着性に優れ剥離紙（２）を有した粘着シート本体（３）を工事現場やイベント会場などで使用する仮囲いシート（４）面に（２）剥離紙をはがし（３）粘着シートを隙間無く圧着した上で本考案装置を設置することが出来る。【００１０】  図２は本考案の実施例を示す使用状態の装置の【１】は側面図及び【２】
【３】は立面図であり、裏・表につまみを有するファスナー（１）の周囲に密着性に優れ剥離紙（２）を有した粘着シート本体（３）を工事現場やイベント会場などで使用する仮囲いシート（４）面に（２）剥離紙をはがし（３）粘着シートを隙間無く圧着した上で（１）ファスナーを引き下ろし出来た開口部に沿って（４）シート面を（５）裁断することにより、自在な場所に（６）開口部を設置することが出来る特徴とする。
【産業上の利用可能性】
【００１１】  この考案の産業上の利用可能性を説明すると、先ず建築工事現場の防凍養生用上屋シート面、建築工事現場の作業通路開口面、解体取り壊し現場の粉塵防護用シート面、農業用既製品ビニールハウス等の追加開口部設置、緊急災害時の仮設テントの設営時に支持部材・シート・本考案装置を有すれば容易に出入り口開放部有した仮設構造物を構築可能となる、又、各自治体町内会などのゴミ置き場防護防獣・防鳥シートの開閉部を簡単・安価に設置出来るなど各産業上の利用可能性がある。
【図面の簡単な説明】
【００１２】
【図１】  本考案仮設扉の実施方法を示した説明図である。（装着）
【００１３】
【図２】  本考案仮設扉の実施方法を示した説明図である。（使用）
【符号の説明】
【００１４】１  ファスナー
２  剥離紙
３  粘着シート
４  本考案仮設扉装着対象シート
５  本考案仮設扉装着対象シート裁断部
６  本考案仮設扉装着対象シート裁断後開口部
【図１】
0003103356.tif 000003
【図２】
0003103356.tif 000004
(57)【要約】【課題】  本考案は非接触センサーの検知空間を任意に設定できるようにしたセンサーを提供する。【解決手段】  本考案は光電反射型センサーの投光ユニットの発射光に対して、受光ユニットの位置と角度を可変にすることにより検知できる空間を任意に設定することができる。投光ユニットからは一定の帯域を持った光線が設定した方向に照射される。受光ユニットはその光線と受光ユニットの感知可能空間が交わる空間に物体が通過したときその反射光を受光素子が検知する。投光ユニットと受光ユニットは一個の筐体に収納できるが、各ユニットの位置は可変でき、検出空間を任意に設定できる。【選択図】  図１
0003103359.tif 000002
【実用新案登録請求の範囲】
【請求項１】
光電反射型のセンサーで投光ユニットと受光ユニットの位置と角度を可変にすることにより、物体が通過したことを検出する空間を任意に設定することができるセンサー
【請求項２】
光電反射型センサーの受光部にＵＳＢ出力のＣＭＯＳカメラを使用し、パソコン又はゲーム機に画像情報を直接入力し、受光したピクセル位置により距離を計算する方式のセンサー
【考案の詳細な説明】
【技術分野】
【０００１】  本考案は、投光ユニットと受光ユニットを組み合わせて、任意の空間に物体が通過するのを検知する非接触センサーに関するものである
【背景技術】
【０００２】  非接触で空間に物体が存在するかまたは通過したかを検知するのは、光電センサーを対向させ、物体により光が遮られた時の受光量変化により検知するか、投光受光が一体になった反射型変位センサーを使用していた。
【考案の開示】
【考案が解決しようとする課題】
【０００３】  対向型光電センサーは両端にセンサーを置かねばならず、また投光部と受光部間の空間のどの部分でも反応してしまう。反射型センサーは投光部と受光部が一体となっているため検出範囲が固定されている。また測定範囲内での変位測定を目的としているため高価であり民生用途には使用できない。
【課題を解決するための手段】
【０００４】  本考案は投光ユニットとそれから出される光線を任意の角度と位置に設定できる受光ユニットを組み合わせた反射型センサーを提供する。設置は片側でよく、受光ユニットの角度や位置を変えることにより検出する空間範囲を任意に設定することができる。出力形態もオン・オフで出力する場合はフォトセンサーを使用し、アナログ出力の場合はＰＳＤを使用する。ＵＳＢで直接パソコンやゲーム機につなぐ場合はＵＳＢ出力のカメラユニットを使用することで民生用の各種要求に合った形態や価格帯で提供できる。
【考案の効果】
【０００５】  本考案により、任意の空間に物体が通過するのを検知するセンサーが完成する。これは新しい考え方であり、検出限界空間の前でも後ろでも反応しない空間センサーとしてパソコンやゲーム機の新しい入出力装置として使用できる。
【考案の実施するための最良の形態】
【０００６】  投光ユニットからは一定の帯域を持ったレーザー光等の光線が設定した方向に照射される。受光ユニットはその光線と受光ユニットの感知可能空間が交わる空間に物体が通過したときその反射光を受光素子が検知する。投光ユニットと受光ユニットは一個の筐体に収納できるが、各ユニットの位置は可変でき、検出空間を任意の場所に設定できる。
【実施例】
【０００７】  以下、添付図面に従って一実施例を説明する。１はモジュール化された投光ユニットであり、２の投光レンズを通して一定の帯域を持った光線を投光する。１０はモジュール化された受光ユニットであり、４は受光ユニットのレンズ等の調整により一定幅を持った感知可能空間である。７は投光される光線の帯域を通すフィルターで、受光ユニットは反射光に効率よく反応できる。【０００８】投光ユニットから照射された光線と投光ユニットの感知可能空間が交わる空間に物体が通過したとき、その反射光は８の受光レンズを通して９の受光素子が感知する。５ａは近い側の検知限界であり、６ａは遠い側の検知限界である。検知限界空間以外の空間に物体が通過しても受光ユニットは感知しない。【０００９】  ９の受光素子は使用する用途によりフォトセンサー、ＰＳＤ、ＣＭＯＳセンサーを使用してコントローラに出力する。または受光素子にＵＳＢ出力のＣＭＯＳカメラモジュールを使用し、ＵＳＢコネクタ経由でパソコン又はゲーム機に画像情報を直接入力し、受光したピクセル位置により距離を計算する。
【図面の簡単な説明】
【００１０】
【図１】本考案の非接触センサーの一実施例を示す側面図である
【図２】非接触センサーの検出空間を変化させたときの図である。
【符号の説明】
【００１１】      １  投光ユニット
２  投光レンズ
３  発射光
４  受光ユニットの感知可能空間
５  近い側の検知限界
６  遠い側の検知限界
７  フィルター
８  受光レンズ
９  受光素子
１０  受光ユニット
【図１】
0003103359.tif 000003
【図２】
0003103359.tif 000004
【手続補正書】
【提出日】平成15年10月17日(2003.10.17)
【手続補正１】
【補正対象書類名】実用新案登録請求の範囲
【補正対象項目名】全文
【補正方法】変更
【補正の内容】
【実用新案登録請求の範囲】
【請求項１】
投光ユニットから一定の帯域を持った光線が設定した方向に照射され、受光ユニットはその光線と受光ユニットの感知可能空間が交わる空間に物体が通過したときその反射光を受光素子が検知する。投光ユニットと受光ユニットは一個の筐体に収納できるが、各ユニットの位置は可変でき、検出空間を任意の場所に設定できるように組み合わせたセンサー。
【請求項２】
投光ユニットと受光ユニットを組み合わせた光電反射型センサーの受光部にＵＳＢ出力のＣＭＯＳカメラを使用し、パソコン又はゲーム機に画像情報を直接入力し、受光したピクセル位置により距離を計算する方式のセンサー
【手続補正書】
【提出日】平成16年2月2日(2004.2.2)
【手続補正１】
【補正対象書類名】実用新案登録請求の範囲
【補正対象項目名】全文
【補正方法】変更
【補正の内容】
【実用新案登録請求の範囲】
【請求項１】
投光ユニットから一定の帯域を持った光線が設定した方向に照射され、受光ユニットはその光線と受光ユニットの感知可能空間が交わる空間に物体が通過したときその反射光を受光素子が検知するセンサーにおいて、投光ユニットと受光ユニットは一個の筐体に収納できるが、各ユニットの位置は可変でき、検出空間を任意の場所に設定できるように組み合わせたセンサー。
【請求項２】
投光ユニットと受光ユニットを組み合わせた光電反射型センサーの受光部にＵＳＢ出力のＣＭＯＳカメラを使用し、パソコン又はゲーム機に画像情報を直接入力し、受光したピクセル位置により距離を計算する方式のセンサー
(57)【要約】      （修正有）【課題】電子機器を落下から防ぐことができる安全性を持たせたハンドストラップを提供すること。【解決手段】電子機器のストラップ取り付け穴に取り付ける取り付け部材１とスプリング状のゴム２と取り付けクリップ３により形成されている。スプリング状ゴム２は直径の大きい太いスプリング状ゴム２ｂと直径の小さい細いスプリング状ゴム２ａとで構成され直径の大きい太いスプリング状ゴム２ｂの中心の空間に直径の小さい細いスプリング状ゴム２ａを通し２重にすることによりゴムの経年自然劣化による断裂や損傷時の落下事故を一本が切れても、もう一本で防ぐ事ができるストラップである。また二本のスプリング状のゴムの大小直径と太さを変えることでスプリング状のゴムストラップがお互いが絡むことなく、安全に安心して携帯用電子機器を持ち運び携帯することができる。【選択図】図１
0003103352.tif 000002
【実用新案登録請求の範囲】
【請求項１】
携帯電話機やデジタルカメラ等の携帯電子機器に取り付けられる落下防止のハンドストラップにおいて携帯用電子機器に取り付けられる取り付け部材とスプリング状のゴムストラップとベルト等に取り付け固定するクリップを有し直径の大きい太いスプリング状のゴムストラップの中心の空間に直径の小さい細いスプリング状のゴムストラップを通し２重にしたことにより不意の落下の際にスプリング状のゴムストラップのどちらか片方が切れても、もう片方で落下を防止する事を特徴とするスプリング状のゴムストラップ
【考案の詳細な説明】
【技術分野】
【０００１】  本考案はハンドストラップ、特に携帯電話機、またはデジタルカメラを含む携帯用電子機器に関する。
【背景技術】
【０００２】  従来、携帯電話機の落下防止ストラップも各社ファッション性に富んだものや工夫を凝らしたものもそれぞれあるが、基本的には落下防止タイプのストラップはゴム製の伸縮するスプリング状の形状をしており、このスプリング状のゴムが電子機器の落下重力などにより切れることや損傷することもあった。また経年による自然劣化は避けられず切れ易い状態になっていることもありその際に落下させてしまう事もあった。
【考案の開示】
【考案が解決しようとする課題】
【０００３】  スプリング状のゴムストラップの落下防止ストラップは多いが電子機器の重量や落下重力等によりスプリング状のゴムストラップが伸びきって重さなどに耐え切れず切れてしまうことがあった。またゴム素材は経年による自然劣化は当然避けられずその事により切れたり損傷して大事な電子機器を落下させてしまうこともあった。現在の高機能や高性能化あるいは高額化する携帯電話機やデジタルカメラ等の電子機器にこれら落下防止のスプリング状ゴムストラップでは落下せさてしまうのではと言う不安を拭い去る事はできなかったし安心して使う事もできなかった。
【課題を解決するための手段】
【０００４】  本考案は、上述の課題を解決する為に、携帯電話機やデジタルカメラ等の電子機器に取り付けるハンドストラップにおいて、携帯電子機器の取り付けられる取り付け部材と、取り付け部材にゴムやあるいはシリコンゴムなどの伸縮性のある素材を用いた大小直系の異なるスプリング状のゴムストラップ部二本を取り付け、それとベルトなどに挟むクリップ部材とを取り付ける。ベルトなどに挟むクリップをズボンのベルト等へ取り付け固定させ取り付け部材により取り付けられた携帯用電子機器を使用中などに誤って落下させても二本のスプリング状のゴムストラップが地面に届かない伸張さで地面への落下を阻止しまた落下させた商品の落下重力を二本で分散することにより切れる事や損傷を防ぐ。また万が一落下重力や商品の自然劣化などにより一本が切れてももう一本がある為に確実に落下などの事故から携帯用電子機器を守る事ができる。
【考案実施の形態】
【０００５】  携帯電子機器等を取り付けられる部材にスプリング状の大小直径の異なるゴムストラップを二本とも同じ伸張さにして取り付け反対の端にはベルト等に取り付けするクリップ部材と取り付ける。ストラップ部分は直径の太いスプリング状のゴムストラップの中心の空間に直径の小さい細いスプリング上のゴムストラップを通す。それぞれの直径と太さが違うので伸縮させてもストラップ同士が絡む事も無く見た目も一本のように見え更に大きい直径の太いゴムストラップを透明素材にすればファッション的にも良い。
【実施例】
【０００６】  以下、添付図面に従って一実施例を説明する。図１はスプリング状のゴムストラップ全体の正面図を示したものである。詳細について説明すると本考案のスプリング状のゴムストラップは携帯用電話機をはじめとする携帯電子機器等のストラップ取り付け穴に取り付ける取り付け部材１とスプリング状のゴムストラップ２とベルトに取り付け固定する３とにより形成されている。取り付け部材１は携帯電話機や携帯電子機器のストラップ穴に取り付けられる取り付け紐１ａと、紐固定部１ｂとスプリング状のゴムストラップとを接合するリング１ｃとにより形成されている。またゴムストラップ２は直径の大きく太い２ｂと直径の小さく細い２ａにより構成されており２ｂのスプリング状の中心の空間に２ａを通す形でそれぞれ取り付け部材１ｃリングと３のベルト等に固定するクリップ状の固定器具に取り付けしている。【０００７】  本考案の一実施例は上術の如き構成からなるものであるから、携帯電話機やデジタルカメラ等の電子機器のストラップ取り付け穴に当該スプリング状ゴムストラップを取り付け、当該スプリング状のゴムストラップに付いているベルト取り付けクリップをベルト等に取り付け固定させる事により万が一の機器の落下の際に地面等に落とすことなく安心して持ち運んだり使用することができる。【０００８】  以上、詳細の本考案によるスプリング状ゴムストラップの実施の形態を説明したが、ここで説明した実施の形態は本考案を説明するものであって、本考案は必ずしもこれに限定されるものではなく、本考案の精神を逸脱することなく当業者が可能な変形または修正は本考案の範疇に含まれる。
【考案の効果】
【０００９】  このように本考案のスプリング状のゴムストラップによれば、これが取り付けられている携帯電話機やデジタルカメラ等の電子機器を万が一の落下の際にベルト等に取り付けたクリップを基点にスプリング状のゴムストラップが伸び地面に届かない伸張さで止まり落下を防ぐ。またその際に以前なら落下重力などによりゴムが耐え切れず切れてしまって落下させていたものがもう一本のゴムストラップがある為にそのような場合でも落下させず安心できる。結果、人が持つ高額な電子機器も当該ストラップを使用することで、今までにあったもし切れたらと言う不安からも解消され安心して使用することが出来る。
【図面の簡単な説明】
【００１０】
【図１】本考案の正面図である。
【図２】本考案の一部切欠断面図である。
【符号の説明】
【００１１】１    取り付け部材
１ａ  取り付け紐
１ｂ  紐固定部
１ｃ  リング
２    スプリング状ゴム
２ａ  直径の小さい細いスプリング状ゴム
２ｂ  直径の大きい太いスプリング状ゴム
３    取り付け固定クリップ
【図１】
0003103352.tif 000003
【図２】
0003103352.tif 000004
(57)【要約】      （修正有）【課題】嵩張りなく携行し、携行状況の確認を容易にし、随時、容易に取外して使用し、所期の用途及び行動に際して、手順よく対応するものとする。【解決手段】帽子の庇、周縁付近等の被覆内層に、扁平状可撓性の磁石板を積層状に挟着してなり、強磁性体小品のコイン状のゴルフボールマーカー、小物部品の釘、小ネジ等を吸着して携行可能とする。【選択図】図１
0003103353.tif 000002
【実用新案登録請求の範囲】
【請求項１】
帽子（１）の庇（２）の被覆内装に、扁平状の磁石板（４）を積層状に挟着してなり、強磁性体小品のコイン状のゴルフボールマーカー、小物部品の釘、小ネジ等を吸着して携行可能とすることを特徴とする磁石板を着装する帽子。
【請求項２】
帽子（１）の周縁（３）付近の被覆内装に、扁平状の磁石板（４）を積層状に挟着してなる磁石板を着装する帽子。
【考案の詳細な説明】
【技術分野】
【０００１】  本考案は、強磁性体小品、小物部品等を吸着して携行するための磁石を着装する帽子に関するものである。
【背景技術】
【０００２】  強磁性体小品及び小物部品として、コイン状のゴルフボールマーカーは、プレヤー個人がコースへ携行し、また、釘、小ネジ等は、ポケットやポセットに収容して工作などの現場で使用することが多く、何れも、身辺に携帯しておくことが望ましい。【０００３】  しかし、上記小品及び小物部品は、携行するときポケットやポセットが嵩張り、随時取り出して使用する煩わしさがあり、また、往々にして携行することを忘れることがあって、所期の用途ないし行動において支障を来すことがある。
【考案の開示】
【考案が解決しようとする課題】
【０００４】  通常、上記の強磁性体小品及び小物部品をポケットやポセットに収容して携行するとき、携行状況が確認し難く、ポケットやポセットが嵩張り、随時取り出して使用する煩わしさがあって、使用に際して支障を来すことがあるため、この問題を解決するため、帽子の庇、周縁付近の被覆内層に挟着した磁石板に、適用対象とする所期の用途ないし行動ごとに、強磁性体小品及び小物部品を吸着して嵩張りなく携行し、携行状況の確認を容易にし、随時、容易に取外して使用し、上記支障を解消し、所期の用途ないし行動において、手順よく対応するものとする。
【課題を解決するための手段】
【０００５】  本考案は、帽子の庇、周縁付近等の被覆内層に、扁平状可撓性の磁石板を積層状に挟着してなり、強磁性体小品のコイン状のゴルフボールマーカー、小物部品の釘、小ネジ等を吸着して携行可能とするすることを主要な特徴とする。
【考案の効果】
【０００６】  請求項１の磁石板を着装する帽子は、帽子の庇の被覆内層に磁石板を着装しており、庇の下面に強磁性体小品のコイン状のゴルフボールマーカー、小物部品の釘、小ネジ等を吸着し、携行状況を目視にて容易に確認することができる。【０００７】  そして、上記小品・小物部品を、随時、手順よく取り外して使用することができる。【０００８】  また、帽子の庇下面に同小品・小物部品を吸着し、嵩張ることがなくて、適用対象とする所期の用途ないし行動の妨げになることがない。【０００９】  なお、多数の同小品・小物部品を携行するときは、庇上面にも吸着することができる。【００１０】  請求項２の磁石板を着装する帽子は、帽子の周縁付近の被覆内層に磁石板を着装しており、周縁外面に強磁性体小品のコイン状のゴルフボールマーカー、小物部品の釘、小ネジ等を吸着し、触覚にて容易に携行状況を確認することができる。【００１１】  そして、適用対象とする所期の用途ないし行動に際して、随時、同小品・小物部品を手順よく取外して使用することができる。【００１２】  また、周縁付近の外面に同小品・小物部品を吸着し、嵩張ることがなくて、所期の用途ないし行動の妨げになることがない。【００１３】  さらに、上記庇面ないし周縁付近の外面と吸着する同小品・小物部品との間に、メモ用の小紙片を挟持することができる利点がある。
【考案を実施するための最良の形態】
【００１４】  図１〜４の実施例において、帽子の被覆内層に積層状に挟着する磁石は、通常の磁石片を適用することができるが、扁平状可撓性の磁石板を適用して帽子の着用、携行及び収納に適する柔軟な構成としてもよい。
【実施例１】
【００１５】  図１〜３の実施例は、帽子１の庇２の被覆内層に、扁平状の磁石板４を積層状に挟着している。
【実施例２】
【００１６】  図１、２及び図４の実施例は、帽子１の周縁３付近の被覆内層に、扁平状の磁石板４を積層状に挟着している。
【産業上の利用可能性】
【００１７】  本考案の磁石板を着装する帽子を着用して適用対象とする所期の用途ないし行動の適用範囲は、上記のように、主に個々の小規模事例であるが、例えば、上記磁石板を着装する被覆外面と、それに吸着する同小品・小物部品との間に、メモ用の小紙片を挟持するような利用法を含み、さらに、新規の付加価値を付与して需要促進を図ることとする。
【図面の簡単な説明】
【図１】  本考案の磁石板を着装する帽子の射視図である。
【図２】  本考案の磁石板を着装する帽子の平面図である。
【図３】  図２のＡ−Ａにおける拡大断面図である。（実施例１）
【図４】  図２のＢ−Ｂにおける拡大断面図である。（実施例２）
【符号の説明】
１  帽子
２  庇
３  周縁（付近の被覆）
４  磁石板
【図１】
0003103353.tif 000003
【図２】
0003103353.tif 000004
【図３】
0003103353.tif 000005
【図４】
0003103353.tif 000006
(57)【要約】【目的】  シャター収納ボックスと、下りたシャッターとの間の隙間により、建築物内へ、鼠の侵入故の被害の防止を目的としたものです。【構成】  ベルト式防鼠器具となるＬ字状のベルト部（１）の、ベルト式防鼠器具前面部（４）に、鼠を忌避する針金（２）を有する。同じくベルト式防鼠器具前面部（４）に、さまざまなサイズのシャッターの幅に合わせて容易にカット出来るように溝（３）を有する。ベルト式防鼠器具後面部（５）には、取り付けの為の粘着層を、必要に応じて有し、容易に固定することが出来る。【選択図】        図２
0003103382.tif 000002
【実用新案登録請求の範囲】
【請求項１】
素材がゴム等の柔軟性のある物質とした、ベルト部（１）によって、鼠の侵入経路となりえるシャッター収納ボックスと、下りたシャターとの間の隙間を塞ぐことで解決し、それでも掻い潜り侵入しようとする鼠を忌避させる針金（２）を設けました。そしてベルト部（１）には、等間隔に溝（３）を設け、さまざまなサイズのシャッターの幅に合わせて容易にカット出来るようにしました。
【考案の詳細な説明】
【考案の詳細な説明】
【産業上の利用分野】
【０００１】  本考案は、建築物出入り口部に設けてあるシャッター収納ボックスと下りたシャッターとの間に出来た隙間により、侵入する鼠を防ぐものです。
【背景技術】
【０００２】  従来は、ゴム製の単なるベルトを、シャッター収納ボックスに取り付け、シャッター収納ボックスと、下りたシャッターとの間の隙間を塞いでいましたが、それだけでは不十分があり、鼠が掻い潜って侵入する事があり、打つ手がありませんでした。
【考案が解決しようとする課題】
【０００３】  本考案は従来の技術で述べました、防鼠として打つ手のなかった領域の、シャッター収納ボックスと、下りたシャッターとの間に出来た隙間を、シャッターの開閉を妨げる事なく鼠の侵入を防止しようとするものであります。
【課題を解決するための手段】
【０００４】  上記目的を達成するために、本考案におけるベルト式防鼠器具は、素材がゴム等の柔軟性のある物質とした、ベルト部によって、鼠の侵入経路となりえるシャッター収納ボックスと、下りたシャターとの間の隙間を塞ぐことで解決し、それでも掻い潜り侵入しようとする鼠を忌避させる針金を設けました。そしてベルト部には、等間隔に溝を設け、さまざまなサイズのシャッターの幅に合わせて容易にカット出来るようにしたものです。
【０００５】  また、ベルト式防鼠器具後面部（５）には、必要に応じて、取り付けの為の粘着層を形成しても良い。
【０００６】  実施例において図面を参照して説明します。
図２において、ベルト式防鼠器具の基盤であるベルト部（１）を例えばゴム等の柔軟性のある物を用いて、形状をＬ字状に形成して、段の低くなった部分に針金（２）を設け、その針金の長さは、ベルト部から外に突出しない、そして基盤のベルト部（１）には溝（３）を設け、さまざまなサイズのシャッターの幅に合わせて容易にカット出来ます、また、ベルト式防鼠器具後面部（５）には、必要に応じて、取り付けの為の粘着層を形成してもよしとし、ベルト式防鼠器具の取り付けを容易にしたものです。
【図面の簡単な説明】
【図１】  ベルト式防鼠器具を建築物に取り付けてなる要部断面図である。
【図２】  ベルト式防鼠器具の斜視図である。
【符号の説明】
１  ベルト部
２  針金
３  溝
４  ベルト式防鼠器具前面部
５  ベルト式防鼠器具後面部
【図１】
0003103382.tif 000003
【図２】
0003103382.tif 000004
【手続補正書】
【提出日】平成16年3月24日(2004.3.24)
【手続補正１】
【補正対象書類名】実用新案登録請求の範囲
【補正対象項目名】全文
【補正方法】変更
【補正の内容】
【実用新案登録請求の範囲】
【請求項１】
ベルトの形状であって、ベルト部（１）によって、鼠の侵入経路となる下りた状態のシャッターと、シャッター収納ボックスとの間のすきまを防ぎ、掻い潜り侵入しようとする鼠を忌避させる針金（２）を設け、ベルト部（１）には等間隔に溝（３）を設けて、さまざまなサイズのシャッターの幅に合わせて容易にカット出来るようにしたベルト式防鼠器具である。
(57)【要約】【課題】パーソナルコンピュータの周辺機器であるスキャナーにおいて書籍をコピーする際に生じる綴じ代部の不具合をなくすために考案したものであり、目的のページを挟装することにより問題を解決するものである。【解決手段】ライフスキャナを使いコピーするページの綴じ代部の隙間をなくし、変色および焦点ずれを解消する。【選択図】【実用新案登録請求の範囲】
【請求項１】
パーソナルコンピュータの周辺機器であるスキャナーにおいて書籍をコピーする際、綴じ代部分がどうしても黒く変色したり焦点ずれが生じてしまいます。この現象をなくすため、相対するものでコピーするページを挟装することにより問題を解決する事が出来るようにしたものです。
【考案の詳細な説明】
【技術分野】
【０００１】
本考案は、パーソナルコンピュータの周辺機器であるスキャナーを使用するときに使うものである。
【背景技術】
【０００２】
パーソナルコンピュータの周辺機器であるスキャナーで書籍データなどを読み込む場合、綴じ代部分がどうしても黒く変色したり焦点がずれてしまいます。この現象は綴じ代部分に隙間ができてしまい光が入ってしまったり取り込み部と取り込み面の間隔が開いてしまうことによってしかたないことでした。
【０００３】
解決しようとする課題は、綴じ代部の黒く変色したり焦点がずれてしまうことを解決することです。
【考案の開示】
【考案が解決しようとする課題】
【０００４】
解決する課題点は、書籍の綴じ代部分の黒く変色したり焦点がずれることを解消することです
【課題を解決するための手段】
【０００５】
解決する課題点は、書籍の綴じ代部分の黒く変色したり焦点がずれることを解消することであり、相対するものでコピーするページを挟装することにより解消することです。
【考案の効果】
【０００６】
本考案、ライフスキャンは、コピーするページの綴じ代部を挟装し隙間をなくす事が可能になり、隙間をなくすことにより綴じ代部分の変色および焦点ずれを解消する事が可能になりました。
【実施例１】
【０００７】
図１は、本考案装置の実施例の状態図であって、書籍のコピー部分を挟装している状態を示しております。本考案ライフスキャン本体と書籍の使用状態を表しております、書籍をうつぶせにし、スキャナーにセットした状態です。なお本体ライフスキャンの挟装部である隙間は作図上広めに表現してあります。図2は断面図で本考案のライフスキャン本体でありコピーするページを挟み込んでいる状態です。
【図面の簡単な説明】
【０００８】
【図１】ライフスキャンの実施方法を示した説明図である。
【図２】ライフスキャン断面図である。
【図３】ライフスキャンの外観図である。
【図１】
0003103384.tif 000002
【図２】
0003103384.tif 000003
【図３】
0003103384.tif 000004
【手続補正書】
【提出日】平成16年4月9日(2004.4.9)
【手続補正１】
【補正対象書類名】実用新案登録請求の範囲
【補正対象項目名】全文
【補正方法】変更
【補正の内容】
【実用新案登録請求の範囲】
【請求項１】
相対する２つのL字形状により、書籍等、綴じ代部があるものの２ページを挟み込む閉じ具。
【手続補正２】
【補正対象書類名】明細書
【補正対象項目名】全文
【補正方法】変更
【補正の内容】
【考案の詳細な説明】
【技術分野】
【０００１】
本考案は、パーソナルコンピュータの周辺機器であるスキャナー使用時に使う閉じ具である。
【考案の開示】
【考案が解決しようとする課題】
【０００２】
本案は、従来書籍をスキャナー及びコピー機で取り込むと、綴じ代部分に隙間が出来てしまい（図2-1）、黒く変色及びピントずれが生じ鮮明な画像を取り込むことが出来ませんでした、この問題を解決するための閉じ具です。
【課題を解決するための手段】
【０００３】
綴じ代部分が黒く変色及びピントずれが生じ鮮明な画像を取り込むことが出来ないのは綴じ代部分に隙間が出来てしまうことが原因でした（図2-1）、本考案はこの隙間を相対するL字形状の物で挟み隙間をなくします（図4）。
【考案の効果】
【０００４】
書籍等のコピーしたい２ページを本体で挟み込むことにより、綴じ代部分の隙間が矯正され隙間をなくすことが可能になり（図3-2）、綴じ代部分の黒く変色及びピントずれを解消し、鮮明な画像を取り込むことが可能になります。
【図面の簡単な説明】
【０００５】
【図１】本考案の第三角法図による表示。
【図２】書籍をうつ伏せにしたときに発生する綴じ代部の隙間の様子。
【図３】本考案ライフスキャナー使用時でスキャンする２ページが直角に矯正されている書籍の様子。
【図４】図3-2部分の拡大図で２ページを挟んだ状態、なお斜線部分は本考案、ライフスキャナーです。
【符号の説明】
【０００６】
1       
未使用時、書籍の隙間が出来る部分。
2       
使用時、書籍の状況。
【手続補正３】
【補正対象書類名】図面
【補正対象項目名】全図
【補正方法】変更
【補正の内容】
【図１】
0003103384.tif 000005
【図２】
0003103384.tif 000006
【図３】
0003103384.tif 000007
【図４】
0003103384.tif 000008
(57)【要約】      （修正有）【課題】ペットボトルからそのまま飲む時、頭や体をあまり傾ける事なく、また視界を遮る事なく飲み干す事が出来るペットボトルの提供。【解決手段】ペットボトルの飲み口を外側に設定する事にした。【選択図】図２
0003103387.tif 000002
【実用新案登録請求の範囲】
【請求項１】
ペットボトルの飲み口を上から見た場合、従来の中心部から外側に設定する事により、内容物を最後まで飲みやすくしたペットボトル。
【考案の詳細な説明】
【考案の詳細な説明】
【背景技術】
【０００１】  従来の容器の飲み口は上から見た場合中心部にある為、最後の一滴を飲み干すのに容器をかなり傾けなければならない。
【考案から解決しようとする課題】
【０００２】従来のペットボトルの飲み口は、内容物が半分以下になると飲み干すのに頭や体をかなり傾けなければならず、美的センスに欠け、また前方の視界を遮る問題があった。
【問題を解決するための手段】
【０００３】最後の一滴を体裁よく飲み干せる様、上から見た場合本体１の飲み口２を外周ぎりぎりの外側に設定した。
【考案の効果】
【０００４】ペットボトルの飲み口を外側に設定する事により、最後の一滴を飲み干すのに頭も体もあまり傾ける事なく飲む事が出来、前方の視界を確保する事ができる。
【図面の簡単な説明】
【図１】考案したペットボトルの飲み口部分を上から示した平面図である。
【図２】考案したペットボトルの飲み口部分を横から示した平面図である。
【符号の説明】
１  ペットボトルの本体
２  飲み口の部分
３  キャップ
【図１】
0003103387.tif 000003
【図２】
0003103387.tif 000004
(57)【要約】『課題』本考案はハーモニカフォルダーを２連にする事によって弾き語り時の音楽的世界観を広げるものである。『解決手段』本考案は針金５の上部を弧に両サイド折り曲げその下にフォルダー１、その下に新たなフォルダー２を作り、その間に湾曲した針金３と４ａの強化バネを挟み、フォルダー２の下に柔らかい弾力のバネ４を挟み込むことによってライブ時、１本でも２本でもハーモニカを早急に挿し変え追加、また削除の対応が出来、使い易い実用性の高い物にした。ギター弾き語り時など音楽的な世界観の広がりに役立つ。【選択図】図  １【実用新案登録請求の範囲】
【請求項１】
現存の１連ハーモニカホルダー本体にもう一つフォルダーを真下に作り２つのハーモニカを曲中で使える様にする。２つのフォルダー使用時２つのハーモニカが重なって吹きにくくならない為に湾曲した針金を１本挟み強度の違うバネを両サイドに入れる事によって、上のフォルダーのみ使用時も下のフォルダーにハーモニカを入れ易くし、上部を弧に折り曲げた針金を両サイドに設ける事により下のフォルダーのみ使用時も上のフォルダーが上に上がる事を防止し２つのハーモニカをギター弾き語り時イントロ、間奏、エンディングで吹き分けられる様に改良した。ライブ時の実用性にも容易に対応し曲の表現力を高める２連ハーモニカホルダー。もちろん１連としても使用可であるが臨機応変に２つのハーモニカを挟み使う方が賢明である。
【考案の詳細な説明】
【技術分野】
【０００１】本考案はもう１つのフォルダー、湾曲した針金、強度の違うバネを取り付け２つのハーモニカを曲中で使える様にした２連ハーモニカホルダーである。
『背景技術』【０００２】弾き語りをする際、現在の１連ハーモニカホルダーではファーストポジションの原調ＫＥＹかセカンドポジション等どちらか１方しか使えなかった。曲中で転調すると１つのフォルダーでは転調後に転調したＫＥＹ調子のハーモニカが使えない。
『考案の開示』
『考案が解決しようとす課題』【０００３】２連ハーモニカホルダーにする事により２つのポジションのハーモニカを曲中で使用する事が出来る。１曲の中にバリエーションが出来る。１人で表現する弾き語りの世界観の広がりを解決するものである。
『課題を解決する為の手段』【０００４】本考案はハーモニカフォルダーの下にもう一つフォルダーを作った。上では吹きにくい。またそのままではハーモニカが引っ付いた状態で吹きにくい。２つのハーモニカの間に直径４ｍｍほどの針金を湾曲させ２つのハーモニカが平行になるようにした。が唇が入り操作し易く且つ邪魔にならない幅でなければならない。また１つでも２つでもハーモニカが使用できるようでなければ実用性に乏しい。強度のやわらかいバネと固いバネをフォルダーの間に入れ上部の針金を弧を描く様に折り曲げる事により上下どちらからでも追加可能にし上記の問題を解決した。
『考案の効果』【０００５】１０穴のブルースハープや復音ハーモニカを現存の１連ハーモニカホルダーに装着しギターを弾きながら弾き語りをした場合、曲のイントロ、間奏、エンディングで同じＫＥＹ調子でしか吹けなかったが２連にする事によりイントロは原調で間奏は４度上のセカンドポジションでエンディングはまた原調でという具合に曲の表現力が高まった。また弾き語りの場合、曲中で転調をすると転調後ハーモニカが使えなかったが２連にする事により転調したエンディングなどでハーモニカが使えるようになる。またＫＥＹの半音ちがいのハーモニカを上下に取り付ける事により今まで使えなかった半音の音を出せる。技量はいるが大幅に音は広がる。なぜこのような物が必要かと言うと１０穴のブルースハープや復音ハーモニカはＫＥＹが決まっている為、全音階ド、ド＃、レ、レ＃、ミ、ファ、ファ＃、ソ、ソ＃、ラ、ラ＃、シ、の全音階１２本のハーモニカを曲のＫＥＹ調子毎に挿し替えて使い分けなければならないからである。
『考案を実施するための最良の形態』【０００６】直径４ｍｍほどの鉄製の固いまっすぐな針金をワッシャーが止まる様に１ｍｍ程潰す。真っ直ぐ持ちワッシャーを通し止め柔らかい強度の６５ｍｍほどの長さのバネを入れる。次にフォルダーを入れる。次に強度の強い１０ｍｍほどの長さのバネを入れ、予め作っておいた湾曲させた直径４ｍｍほどの針金を入れる。次にフォルダーを入れる。フォルダーから上を左へ弧にバネを縮めない様に折り曲げる。ハーモニカの長さによって異なるがブルースハープであれば１２０ｍｍ当たりを復音ハーモニカであれば１７８ｍｍ当たりを同じ様に弧に真下に折り曲げ今までの作業の逆順にそれぞれの左側をはめ込み針金を１ｍｍ潰しバネを縮めない様に止める。針金の頭上から真下１７０ｍｍ当たりにネジ止めのワッカを両端に作れる様に針金を切りワッカを作る。後は首側のホルダーとワッシャーなどを挟みネジで止める。
『実施例』【０００７】以下、添付図面に従って一実施例を説明する。上部を両サイド弧に折り曲げた５は直径４ｍｍほどの鉄製の固い針金。６は針金が通る穴の開いたワッシャー。４は６５ｍｍから２５ｍｍ程まで縮む柔らかい弾力のバネ。２はハーモニカを乗せる鉄製のフォルダー。４ａは長さ１０ｍｍほどの強い弾力バネ。３は直径４ｍｍ程の湾曲した針金。真上から見て外側７ｍｍ程フォルダーから前へ出る様に作る。出ている幅はフォルダー中央を基準に３０ｍｍ程、左右対象に出ている事。１はハーモニカを乗せる鉄製のフォルダー。自然体の状態はバネを縮める事なく逆さにしても全体が固定された状態である。
【図面の簡単な説明】
【０００８】
【図１】  本考案の２連ハーモニカホルダーを正面斜め上から見た図。
【図２】  本ホルダーの真右から見た図。
【符号の説明】
【０００９】１  通常のハーモニカを乗せる鉄製の台であるフォルダー
２  ２つ目のハーモニカを乗せるフォルダー１に同じである
３  ２つのハーモニカを吹きやすい様に２連ともハーモニカを平行にし又、唇が入りやすく邪魔にならないようにする湾曲した直径４ｍｍ程の針金。
４  バネ
５  鉄製の針金
６  ワッシャー
７  ネジ
【図１】
0003103381.tif 000002
【図２】
0003103381.tif 000003
【手続補正書】
【提出日】平成16年3月29日(2004.3.29)
【手続補正１】
【補正対象書類名】実用新案登録請求の範囲
【補正対象項目名】全文
【補正方法】変更
【補正の内容】
【実用新案登録請求の範囲】
【請求項１】
１連ハーモニカホルダーにおいて（１）バネを強度の柔らかいものに変える。（２）１連ハーモニカホルダー本体にもう一つフォルダーを真下に作る。（３）２つのフォルダー使用時２つのハーモニカが重なって吹きにくくならない為に湾曲した針金を１本挟む。（４）上のフォルダーのみ使用時も下のフォルダーにハーモニカを入れ易くする為に強度の硬いバネを挟み隙間を作る。（５）１連ハーモニカホルダーの針金の上部を弧に折り曲げ下のフォルダーのみ使用時も上のフォルダーにハーモニカを入れ易くする隙間を作る。以上からなる２連ハーモニカホルダー
(57)【要約】      （修正有）【課題】内視鏡洗浄消毒装置において、内視鏡挿入部の未洗浄や未消毒を防止する。【解決手段】洗浄槽２の上面を開閉するカバー３の内面に内視鏡挿入部の浮き上がりを防止する押さえ金具５を設置した。洗浄槽２の最深部２Ａに操作部Ａが戴置され、傾斜浅部２Ｂに挿入部Ｂが巻回しセットされている。尚、液面はオーバーフロー排水口６の存在により、それ以上の深さには達しない。これにより、開閉カバー３の「閉」操作に連動して、浮き上がり防止金具５により、内視鏡挿入部はその上面２点が適当な間隔を置いて押さえつけられるため、確実に液面下に沈み込み、挿入部の浮き上がりによる未洗浄、未消毒といった不具合は、完全且つ確実に阻止できる。【選択図】図２
0003103327.tif 000002
【実用新案登録請求の範囲】
【請求項１】
洗浄槽２の上面を開閉するカバー３の内面に、内視鏡挿入部Ｂの浮き上がりを防止する金具５を設置したことを特徴とする内視鏡洗浄消毒装置。
【考案の詳細な説明】
【技術分野】
【０００１】
この考案は内視鏡洗浄消毒装置における内視鏡挿入部の浮き上がり防止に関するものである。
【背景技術】
【０００２】
内視鏡洗浄消毒装置にあっては、洗浄槽内に内視鏡を納めて、汚れた内視鏡を水道水や洗剤により洗浄し、次いで、消毒液中に所定時間浸漬して、消毒する方法がよく識られている。こうした内視鏡洗浄消毒装置においては、洗浄槽内の最深部に内視鏡の操作部を納め、該操作部に接続する挿入部分を巻回状態でセットして、上述の如き所望の洗浄および消毒が行われる。斯かる内視鏡洗浄消毒装置にあっては、ランニングコストの低減目的から高価な消毒液の使用量を出来る限り少なく望んでいることと、装置自体の小型化の要望とが相俟って洗浄槽における設定水位は、内視鏡全体が液面に没するギリギリの深さに設計されている。従って、ＦＲＰ等によって成形される洗浄槽の底部断面は、内視鏡の操作部分のセット位置と挿入部のセット位置とでは必然的に深さが異なり、巻回わされた挿入部分の下面は比較的急勾配の傾斜面となって操作部がセットされる最深部へ連がっている。
【０００３】
ところで、周知の通り内視鏡における上記挿入部は、比較的弾性に富んだ材料により管状に作製されているため傾斜面に沿ってセッティングされる当該挿入部の一部が、その弾力により浮き上がりする現象が見られる。従って場合によっては、液面上に突出してしまった部位の末洗浄・末消毒といった不具合発生の恐れがあった。
【０００４】
【特許文献１】特開２０００-３１６８０８号広報
【特許文献２】特公昭６２-４４４８８号広報
【考案の開示】
【考案が解決しようとする課題】
【０００５】
本考案は、上述した不具合を簡単且つ確実に防止せんとしたものである。
【課題を解決するための手段】
【０００６】
本考案の請求項１記載の内視鏡洗浄消毒装置は、洗浄槽の上面を開閉するカバーの内面に内視鏡挿入部の浮き上がりを防止する押さえ金具を設置したことを特徴とする。
【考案の効果】
【０００７】
上記請求項１記載の内視鏡洗浄消毒装置によると、浮き上がり防止用の押さえ金具を開閉カバーの内面に設けたため、カバーの「閉」操作に連動して浮き上がり防止機能が自動的に発揮されるので、簡易にして確実に上述した従来の不具合が解消されるものである。
【考案を実施するための最良の形態】
【０００８】
以下、本考案を附図実施例に基づいて説明する。図中１は装置本体、２は本体１の上部に設けられる洗浄槽、３は洗浄水等の飛散防止用の開閉カバー、ＦＷは内視鏡でその操作部と挿入部を各々符号Ａ及びＢで示す。該内視鏡ＦＷは図２の如く、洗浄槽２の最深部２Ａに操作部Ａが戴置され、傾斜浅部２Ｂに挿入部Ｂが巻回しセットされている。尚、Ｌは液面でオーバーフロー排水口６の存在により、それ以上の深さには達しない。
【０００９】
そして、上記カバー３の開閉蝶番４には、線材を折曲加工した浮き上がり防止金具５がプレート５Ａを介してカバー３の内面に共締めされている。また、上記浮き上がり防止金具５の押さえ部分５Ｂは、洗浄槽２の傾斜底面と所定間隔をもって略並行となるよう予め折曲されているものである。尚、図中７は排水口、８は挿入部の巻回わし用ガイド部材を各々示す。
【００１０】
而して、開閉カバー３の「閉」操作に連動して、浮き上がり防止金具５により、内視鏡挿入部はその上面２点が適当な間隔を置いて押さえつけられるため、確実に液面下に沈み込み、該挿入部Ｂの浮き上がりによる末洗浄、末消毒といった不具合は、完全且つ確実に阻止できるものである。
【図面の簡単な説明】
【００１１】
【図１】本考案の実施例を示す平面図である。
【図２】図１のＩ−Ｉ線断面図である。
【図３】本考案の要部の拡大平面図である。
【図４】本考案の要部の縦断側面図である。
【図５】本考案で使用される主要部品の斜視図である。
【符号の説明】
【００１２】
１                  本体
２                  洗浄槽
３                  カバー
４                  蝶番
５                  浮き上がり防止金具
ＦＷ                内視鏡
Ａ                  操作部
Ｂ                  挿入部
Ｌ                  液面
【図１】
0003103327.tif 000003
【図２】
0003103327.tif 000004
【図３】
0003103327.tif 000005
【図４】
0003103327.tif 000006
【図５】
0003103327.tif 000007